(57)【特許請求の範囲】
【請求項１】
セクタ（３３０）内の複数の電力増幅器（３２０−１、．．．、３２０−ｉ）の分散電力管理のためのネットワークノード（３１０−１、．．．、３１０−ｎ）に関連付けられる第１のキャリアコントローラ（３１５−１）における方法であって、前記第１のキャリアコントローラ（３１５−１）、前記ネットワークノード（３１０−１、．．．、３１０−ｎ）および前記電力増幅器（３２０−１、．．．、３２０−ｉ）は、少なくとも１つのさらなるキャリアコントローラ（３１５−２、．．．、３１５−ｍ、３１５−ｎ１、．．．、３１５−ｎｍ）と共に通信システム（３００）内に含まれ、前記第１のキャリアコントローラ（３１５−１）は、当該第１のキャリアコントローラ（３１５−１）により制御される少なくとも１つのキャリアにより使用されると推定される無線周波電力の、各電力増幅器（３２０−１、．．．、３２０−ｉ）での電力割当てをスケジューリングするように構成され、前記方法は、
前記セクタ（３３０）または当該セクタ（３３０）内の電力増幅器（３２０−１、．．．、３２０−ｉ）のいずれかに対応する、各キャリアの優先値に基づいて、同一のセクタ（３３０）内の１つ以上の電力増幅器（３２０−１、．．．、３２０−ｉ）において、前記第１のキャリアコントローラ（３１５−１）により制御される前記少なくとも１つのキャリアによって所定の時間フレームの間に使用される推定電力使用量を割り当てるステップ（７１３）
を含み、
各キャリアコントローラ（３１５−１、３１５−２、．．．、３１５−ｍ、３１５−ｎ１、．．．、３１５−ｎｍ）は、複数の無線技術のグループのうちのいずれかの無線技術に関連付けられる、
方法。
【請求項２】
前記第１のキャリアコントローラ（３１５−１）により制御される前記少なくとも１つのキャリアによって所定の時間フレームの間に使用される前記無線周波電力を推定するステップ（７０１）と、
推定された前記無線周波電力を前記さらなるキャリアコントローラ（３１５−２、．．．、３１５−ｍ、３１５−ｎ１、．．．、３１５−ｎｍ）に配信するステップ（７０２）と、
前記さらなるキャリアコントローラ（３１５−２、．．．、３１５−ｍ、３１５−ｎ１、．．．、３１５−ｎｍ）により制御される少なくとも１つのキャリアによって前記所定の時間フレームの間に使用される推定された無線周波電力を取得するステップ（７０３）と、
前記所定の時間フレーム内の部分的期間ごとに、前記キャリアコントローラ（３１５−１、３１５−２、．．．、３１５−ｍ、３１５−ｎ１、．．．、３１５−ｎｍ）により制御される全てのキャリアの推定電力使用量を合計するステップ（７０６）と、
部分的期間ごとの合計された前記推定電力使用量と前記電力増幅器（３２０）の最大電力の限界値とを比較するステップ（７０７）と、
前記第１のキャリアコントローラ（３１５−１）により制御される前記少なくとも１つのキャリアの優先値を前記さらなるキャリアコントローラ（３１５−２、．．．、３１５−ｍ、３１５−ｎ１、．．．、３１５−ｎｍ）に配信するステップ（７０８）と、
各さらなるキャリアコントローラ（３１５−２、．．．、３１５−ｍ、３１５−ｎ１、．．．、３１５−ｎｍ）により制御される前記少なくとも１つのキャリアの優先値を取得するステップ（７０９）と、
最も低い優先値を伴う、前記第１のキャリアコントローラ（３１５−１）により制御される前記少なくとも１つのキャリアまたは前記さらなるキャリアコントローラ（３１５−２、．．．、３１５−ｍ、３１５−ｎ１、．．．、３１５−ｎｍ）により制御される前記少なくとも１つのキャリアについての、前記推定電力使用量を減らすステップ（７１１）と、
残りの合計された前記推定電力使用量が最大電力の限界値以下となるまで、前記推定電力使用量を合計する前記ステップ（７０６）、合計された前記推定電力使用量と前記最大電力の限界値とを比較する前記ステップ（７０７）、およびいずれかのキャリアコントローラ（３１５−１、３１５−２、．．．、３１５−ｍ、３１５−ｎ１、．．．、３１５−ｎｍ）により制御される前記最も低い優先値を伴う前記少なくとも１つのキャリアについての前記推定電力使用量を減らす前記ステップ（７１１）を、繰り返すステップ（７１２）と、
をさらに含む、請求項１に記載の方法。
【請求項３】
セクタ（３３０）への、または前記第１のキャリアコントローラ（３１５−１）により制御される前記少なくとも１つのキャリアにより使用される前記セクタ（３３０）内の優先的な電力増幅器（３２０−１、．．．、３２０−ｎ）への対応関係を、前記さらなるキャリアコントローラ（３１５−２、．．．、３１５−ｍ、３１５−ｎ１、．．．、３１５−ｎｍ）に配信するステップ（７０４）と、
セクタ（３３０）への、または前記さらなるキャリアコントローラ（３１５−２、．．．、３１５−ｍ、３１５−ｎ１、．．．、３１５−ｎｍ）により制御される前記少なくとも１つのキャリアにより使用される前記セクタ（３３０）内の優先的な電力増幅器（３２０−１、．．．、３２０−ｎ）への対応関係を、取得するステップ（７０５）と、
をさらに含む、請求項２に記載の方法。
【請求項４】
部分的期間ごとの合計された前記推定電力使用量と前記電力増幅器（３２０−１、．．．、３２０−ｎ）の最大電力の限界値とを比較する前記ステップ（７０７）は、部分的期間ごとの、セクタ（３３０）または当該セクタ（３３０）内の優先的な電力増幅器（３２０−１、．．．、３２０−ｎ）のいずれかへの対応関係を有する、前記キャリアコントローラ（３１５−１、３１５−２、．．．、３１５−ｍ、３１５−ｎ１、．．．、３１５−ｎｍ）により制御される全てのキャリアの合計された前記推定電力使用量と、前記セクタ（３３０）内の各電力増幅器（３２０−１、．．．、３２０−ｎ）の最大電力の限界値とを比較すること（７０７）を含む、請求項２または３に記載の方法。
【請求項５】
前記セクタ（３３０）内のある電力増幅器（３２０−１、．．．、３２０−ｎ）の前記最大電力の限界値が、ある部分的期間についての合計された前記推定電力使用量により超えられる場合に、前記方法は、
前記最も低い優先値を伴う前記少なくとも１つのキャリアの優先的な電力増幅器（３２０−１、．．．、３２０−ｎ）への対応関係を、同一のセクタ（３３０）内の別の電力増幅器（３２０−１、．．．、３２０−ｎ）への対応関係に変更するステップ（７１０）
をさらに含む、請求項２から４のいずれかに記載の方法。
【請求項６】
各キャリアコントローラ（３１５−１、３１５−２、．．．、３１５−ｍ、３１５−ｎ１、．．．、３１５−ｎｍ）は、
ＧＳＭ（Global  System  for  Mobile  communications）
広帯域符号分割多元接続（ＷＣＤＭＡ）
ＬＴＥ（Long  Time  Evolution）
のグループのうちのいずれかの無線技術に関連付けられる、請求項１から５のいずれかに記載の方法。
【請求項７】
前記通信システム（３００）は、分散データベース（３１７）をさらに含み、
推定された前記無線周波電力を配信する前記ステップ（７０２）、優先値を配信する前記ステップ（７０８）、および／または優先的な電力増幅器（３２０）への対応関係を配信する前記ステップ（７０４）は、前記分散データベース（３１７）を更新することを含み、
前記さらなるキャリアコントローラ（３１５−２、．．．、３１５−ｍ、３１５−ｎ１、．．．、３１５−ｎｍ）により制御される前記少なくとも１つのキャリアにより使用される推定された前記無線周波電力を取得する前記ステップ（７０３）、各さらなるキャリアコントローラ（３１５−２、．．．、３１５−ｍ、３１５−ｎ１、．．．、３１５−ｎｍ）により制御される前記少なくとも１つのキャリアの優先値を取得する前記ステップ（７０９）、および／または優先的な電力増幅器（３２０）への対応関係を取得する前記ステップ（７０５）は、前記分散データベース（３１７）から各々のパラメータを取得することを含む、
請求項３に記載の方法。
【請求項８】
前記所定の時間フレームは０．５ｍｓと６ｍｓとの間である、請求項１から７のいずれかに記載の方法。
【請求項９】
前記セクタ（３３０）または当該セクタ（３３０）内の電力増幅器（３２０−１、．．．、３２０−ｉ）のいずれかに対応する各キャリアの優先値に基づいて、同一のセクタ（３３０）内の１つ以上の電力増幅器（３２０−１、．．．、３２０−ｉ）において、前記第１のキャリアコントローラ（３１５−１）により制御される前記少なくとも１つのキャリアによって所定の時間フレームの間に使用される前記推定電力使用量を割り当てる前記ステップ（７１３）は、前記さらなるキャリアコントローラ（３１５−２、．．．、３１５−ｍ、３１５−ｎ１、．．．、３１５−ｎｍ）に前記推定電力使用量を配信することを含む、請求項１から８のいずれかに記載の方法。
【請求項１０】
同一のセクタ（３３０）内の１つ以上の電力増幅器（３２０−１、．．．、３２０−ｉ）において、前記第１のキャリアコントローラ（３１５−１）により制御される前記少なくとも１つのキャリアによって所定の時間フレームの間に使用される前記推定電力使用量を割り当てる前記ステップ（７１３）は、
前記電力増幅器（３２０−１、．．．、３２０−ｉ）の最大電力の限界値が超えられるまで、その時点で最大の利用可能なキャパシティを有する前記セクタ（３３０）内の前記電力増幅器（３２０−１、．．．、３２０−ｉ）に、最も高い優先度を伴う前記キャリアを割り当てることと、
特定の前記キャリアについて割り当てられた電力は、前記電力増幅器（３２０−１、．．．、３２０−ｉ）の前記最大電力の限界値が超えられなくなるまで減らされることと、
を含む、請求項１から９のいずれかに記載の方法。
【請求項１１】
セクタ（３３０）内の複数の電力増幅器（３２０−１、．．．、３２０−ｉ）の分散電力管理のためのネットワークノード（３１０−１、．．．、３１０−ｎ）に関連付けられる第１のキャリアコントローラ（３１５−１）であって、前記第１のキャリアコントローラ（３１５−１）、前記ネットワークノード（３１０−１、．．．、３１０−ｎ）、前記電力増幅器（３２０−１、．．．、３２０−ｉ）および前記セクタ（３３０）は、少なくとも１つのさらなるキャリアコントローラ（３１５−２、．．．、３１５−ｍ、３１５−ｎ１、．．．、３１５−ｎｍ）と共に通信システム（３００）内に含まれ、前記第１のキャリアコントローラ（３１５−１）は、当該第１のキャリアコントローラ（３１５−１）により制御される少なくとも１つのキャリアにより使用されると推定される無線周波電力の、前記電力増幅器（３２０−１、．．．、３２０−ｉ）での電力割当てをスケジューリングするように構成され、前記第１のキャリアコントローラは、
前記セクタ（３３０）または当該セクタ（３３０）内の電力増幅器（３２０−１、．．．、３２０−ｉ）に対応する、各キャリアコントローラ（３１５−１、３１５−２、．．．、３１５−ｍ、３１５−ｎ１、．．．、３１５−ｎｍ）により制御される少なくとも１つのキャリアの各々の優先値に基づいて、同一のセクタ（３３０）内の１つ以上の電力増幅器（３２０−１、．．．、３２０−ｉ）において、前記第１のキャリアコントローラ（３１５−１）により制御される前記少なくとも１つのキャリアによって所定の時間フレームの間に使用される推定電力使用量を割り当てるように適合される割当て部（８１３）
を備え、
各キャリアコントローラ（３１５−１、３１５−２、．．．、３１５−ｍ、３１５−ｎ１、．．．、３１５−ｎｍ）は、複数の無線技術のグループのうちのいずれかの無線技術に関連付けられる、
第１のキャリアコントローラ。
【請求項１２】
前記第１のキャリアコントローラ（３１５−１）により制御される前記少なくとも１つのキャリアによって所定の時間フレームの間に使用される前記無線周波電力を推定するように適合される推定部（８０１）と、
推定された前記無線周波電力を前記さらなるキャリアコントローラ（３１５−２、．．．、３１５−ｍ、３１５−ｎ１、．．．、３１５−ｎｍ）に配信するように適合される配信部（８０２）と、
前記さらなるキャリアコントローラ（３１５−２、．．．、３１５−ｍ、３１５−ｎ１、．．．、３１５−ｎｍ）により制御される少なくとも１つのキャリアによって前記所定の時間フレームの間に使用される推定された無線周波電力を取得するように適合される取得部（８０３）と、
前記所定の時間フレーム内の部分的期間ごとに、全てのキャリアコントローラ（３１５−１、３１５−２、．．．、３１５−ｍ、３１５−ｎ１、．．．、３１５−ｎｍ）により制御される全てのキャリアの推定電力使用量を合計するように適合される算出部（８０６）と、
部分的期間ごとの合計された前記推定電力使用量と前記電力増幅器（３２０−１、．．．、３２０−ｉ）の最大電力の限界値とを比較するように適合される比較部（８０７）と、
さらに備える、請求項１１に記載の第１のキャリアコントローラ。
【発明の詳細な説明】
【技術分野】
【０００１】
本発明は、通信システムにおける方法および構成に関する。より具体的には、本発明は、分散電力管理についてのメカニズムに関する。
【背景技術】
【０００２】
広帯域符号分割多元接続（ＷＣＤＭＡ）およびＬＴＥ（Long  Time  Evolution）等のブロードバンド無線サービスの進化は、通常マルチキャリア電力増幅器（ＭＣＰＡ）と呼ばれる高線形広帯域電力増幅器（high  linear  wide  band  power  amplifier）の性能を向上させた。ＭＣＰＡは、複数のＧＳＭ（Global  System  for  Mobile  communications）キャリア等の合成された複数の狭帯域キャリア信号を増幅するためにも使用され得る。したがって、ＧＳＭについてのＭＣＰＡの使用は、高出力の無線周波数合成器の必要性を取り除く。
【０００３】
ＧＳＭ、ＷＣＤＭＡ、ＬＴＥ、または他のセルラー無線システムについてのＭＣＰＡの使用は、無線周波電力（radio  frequency  power）の割当てが同一のＭＣＰＡのキャリアコントローラの間で分けられることを必要とする。電力の割当ては、共通のセル計画に従って実行されなければならない。
【０００４】
ＭＣＰＡの問題は、入力信号を電力増幅器の線形領域内に維持することである。旧式のブロードバンド無線システムでは、入力信号は、動作が領域内であることを保証する信号制御エンティティにより通常制御される。対応する制御エンティティを各々有する複数のＧＳＭキャリアを伴うＧＳＭシステムでは、入力信号強度の調整が必要とされる。
【０００５】
ＭＣＰＡは、２つのＧＳＭキャリアと１つのＷＣＤＭＡキャリアとの合成等の異なる標準のキャリアの合成信号を増幅するためにも使用され得る。また、入力信号の調整が必要とされる。本発明は、同一または異なる標準の制御エンティティまたはキャリアコントローラの間の信号強度の調整に関する。
【０００６】
したがって、ユーザプレーンのデータは、キャリアコントローラにより管理される。キャリアコントローラは、とりわけ自ら制御するキャリアにより使用される出力電力を制御する制御機能である。この文脈では、キャリアは、３ＧＰＰ等の関連する標準により定義されるようなエアインターフェースキャリアの一部であり得る。当該一部は、あるトラフィックタイプおよび／または優先度を有することにより特徴づけられる。キャリアコントローラは、複数のキャリアに対しても動作し得る。
【０００７】
各キャリアコントローラは、与えられた無線周波電力と同量のＭＣＰＡからの無線周波電力を割り当て得るが、それ以上割り当てない。過度な割当てが生じると、ＭＣＰＡは何らかの手法で送信信号を制限し、送信情報は失われまたは再送されなければならない。
【０００８】
図１に示されるように、異なるシステムからのキャリアコントローラは、異なる時間増分（time  increment）でそれらの電力割当てをスケジューリングする。説明される例では、ＧＳＭ、ＷＣＤＭＡおよびＬＴＥそれぞれについてのスケジューリング水平線が示されている。ＧＳＭについては、スケジューリング水平線（scheduling  horizon）は１．５ｍｓであり、すなわちある時間スロットが０．５ｍｓの期間でどの無線周波数の電力レベルを使用しなければならないかをＧＳＭ基地局が予め知る時間である。ＷＣＤＭＡおよびＬＴＥについては、無線周波数の電力レベルは、ＷＣＤＭＡについて２ｍｓの期間の送信およびＬＴＥについて１ｍｓの期間の送信が始まる２ｍｓ前に定義されなければならない。
【０００９】
図２に示されるように、既存のソリューションは、静的な予め決定された無線周波電力の割当てを提供する。当該割当ては、同一のＭＣＰＡを共有する他のキャリアコントローラによる無線周波電力の短期での割当て不足を考慮しない。当該同一のＭＣＰＡは、特にＧＳＭが導入される場合には使用されるべき「余分な（spare）」電力を実際には提供する。
【００１０】
ＧＳＭ送信機は、当該送信機においていずれかの時間スロットが使用する最大電力である名目的な電力について構成される。いくつかまたは全ての時間スロットは、実際には、構成される電力よりも低い電力で送信される。
【００１１】
したがって、利用可能な無線周波電力は、図２に示されるように、構成される電力と使用される電力との間の相違、またはＧＳＭ、ＷＣＤＭＡおよびＬＴＥ等のシステム概念間の相違に起因して、常に十分に使用されるわけではない。
【００１２】
既存のソリューションの問題は、ＭＣＰＡの潜在的に利用可能な無線周派電力が使用されておらず、それが低いスループットにつながることである。
【発明の概要】
【００１３】
本ソリューションは、通信システム内で向上した性能を提供することを目指す。
【００１４】
第１の形態によると、目的は、ネットワークノードに関連付けられる第１のキャリアコントローラにおける方法により達成される。上記方法は、セクタ内の複数の電力増幅器の分散電力管理を提供することを目指す。上記第１のキャリアコントローラ、上記ネットワークノードおよび上記電力増幅器は、通信システム内に含まれる。少なくとも１つのさらなるキャリアコントローラも、上記通信システム内に含まれる。上記第１のキャリアコントローラは、当該第１のキャリアコントローラにより制御される少なくとも１つのキャリアにより使用されると推定される無線周波電力の、各電力増幅器での電力割当てをスケジューリングするように構成される。上記方法は、同一のセクタ内の１つ以上の電力増幅器において、上記第１のキャリアコントローラにより制御される上記少なくとも１つのキャリアによって所定の時間フレームの間に使用される推定電力使用量を割り当てるステップを含む。上記割当ては、上記セクタまたは当該セクタ内の電力増幅器に対応する（dedicated）、各キャリアの優先値に基づく。
【００１５】
第２の形態によると、目的は、ネットワークノードに関連付けられる第１のキャリアコントローラにおける構成によっても達成される。上記方法は、セクタ内の複数の電力増幅器の分散電力管理を提供することを目指す。上記第１のキャリアコントローラ、上記ネットワークノードおよび上記電力増幅器は、通信システム内に含まれる。少なくとも１つのさらなるキャリアコントローラも、上記通信システム内に含まれる。上記第１のキャリアコントローラは、当該第１のキャリアコントローラにより制御される少なくとも１つのキャリアにより使用されると推定される無線周波電力の、各電力増幅器での電力割当てをスケジューリングするように構成される。上記構成は、割当て部を備える。上記割当て部は、１つ以上の電力増幅器において、上記第１のキャリアコントローラにより制御される上記少なくとも１つのキャリアによって所定の時間フレームの間に使用される推定電力使用量を割り当てるように適合される。上記１つ以上の電力増幅器は、同一のセクタ内に位置する。上記割当ては、上記セクタまたは当該セクタ内の電力増幅器に対応する（dedicated）、各キャリアの優先値に基づく。
【００１６】
本方法および構成に従った動的な電力割当ての導入のおかげで、セクタ内の電力増幅器における余分な無線周波電力を、異なるキャリアまたは異なるキャリアコントローラの間で分配することができる。したがって、セクタ内の電力増幅器がより効率的に利用される。本方法に従った電力割当てを実行することにより、セクタ内の電力増幅器の余分な電力を減らすことができ、同時に過度な割当てのリスクを低減することができる。したがって、通信システム内の性能が向上する。
【００１７】
本発明の他の目的、利点および新規の特徴は、以下の本発明の詳細な説明から明らかになるであろう。
【図面の簡単な説明】
【００１８】
本発明は、以下の同封の図面に関連してより詳細にここで説明されるであろう。
【図１】従来技術に従った通信システムにおけるスケジューリングのタイミングを説明する概略的なブロック図である。
【図２】従来技術に従った静的な無線周波数の電力割当てを説明するブロック図である。
【図３】通信システムの実施形態を説明するブロック図である。
【図４】本方法のいくつかの実施形態に従った通信システムにおける動的な電力割当てを説明するブロック図である。
【図５】本方法のいくつかの実施形態に従った、ＧＳＭとＷＣＤＭＡ／ＬＴＥとの間での例示的な無線周波電力の利用を説明するブロック図である。
【図６】本方法のいくつかの実施形態に従った、例示的な無線周波電力の利用計画を説明するブロック図である。
【図７】第１のキャリアコントローラにおける本方法の実施形態を説明するフローチャートである。
【図８】第１のキャリアコントローラにおける本構成の実施形態を説明するブロック図である。
【発明を実施するための形態】
【００１９】
本発明は、第１のキャリアコントローラにおける方法および構成として定義される。当該方法および構成は、以下に説明される実施形態の中で実行され得る。しかしながら、この発明は、多数の様々な形式の中で具現化され得る。また、この発明は、ここで説明される実施形態に限定されて解釈されるべきではない。むしろ、これらの実施形態は、この開示が完全であり完成しているように提供され、本発明の範囲を十分に伝えるであろう。開示される特定の形式のいずれかに本方法および／または構成を限定する意図はなく、反対に、本方法および構成は、特許請求の範囲により定義されるように本発明の範囲に含まれる全ての改良、等価なものおよび代替するものをカバーするものである、ということが理解されるべきである。
【００２０】
当然ながら、本発明は、本発明の本質的な特徴から逸脱することなく、これらの具体的にここで説明される手法とは別の手法で実行されてもよい。本実施形態は、全ての点で限定ではなく説明ためのものと考えられるべきである。また、趣旨内にくる全ての変更および添付の特許請求の範囲の等価の範囲は、そこに包含されることを意図されている。
【００２１】
図３は、通信システム３００の実施形態を説明するブロック図である。通信システム３００は、少なくとも１つのネットワークノード３１０−１、．．．、３１０−ｎを含む。各ネットワークノード３１０−１、．．．、３１０−ｎは、１つまたはいくつかのキャリアコントローラ３１５−１、．．．、３１５−ｍ、３１５−ｎ１、．．．、３１５−ｎｍを備えるように構成される。さらに、通信システム３００は、マルチキャリア電力増幅器（ＭＣＰＡ）とも呼ばれ得る、１つ以上の電力増幅器３２０−１、．．．、３２０−ｉを含み得る。
【００２２】
いくつかの任意の限定しない例を挙げると、通信システム３００内で使用される技術は、ＧＳＭ（Global  System  for  Mobile  Telecommunications）、ＥＤＧＥ（Enhanced  Data  rates  for  GSM  Evolution）、ＧＰＲＳ（General  Packet  Radio  Service）、符号分割多元接続（ＣＤＭＡ）、広帯域符号分割多元接続（ＷＣＤＭＡ）、ＬＴＥ（Long  Time  Evolution）、ＣＤＭＡ２０００、高速弾リンクパケットデータアクセス（ＨＳＤＰＡ）、高速アップリンクパケットデータアクセス（ＨＳＵＰＡ）、ＨＤＲ（High  Data  Rate）、高速パケットデータアクセス（ＨＳＰＡ）、ＵＭＴＳ（Universal  Mobile  Telecommunications  System）等のうちの１つ、いくつかまたは全ての技術を含んでもよい。
【００２３】
各キャリアコントローラ３１５−１、．．．、３１５−ｍ、３１５−ｎ１、．．．、３１５−ｎｍは、１つのキャリア、すなわちエアインターフェースキャリアの一部、または複数のキャリアを制御し得る。当該キャリアは、当該キャリアについて使用されるべきトラフィックタイプに関連付けられる。
【００２４】
キャリアは、例えば、ＧＳＭシステムにおけるＴＲＸ、ＷＣＤＭＡにおける５ＭＨｚのキャリア、例えばＷＣＤＭＡキャリアの共通制御シグナリング部分、ＷＣＤＭＡキャリアの専用チャネル（ＤＣＨ）部分等のキャリアのサブセット等の、エアインターフェースキャリアであり得る。これは、図５および図６に関連付けられて詳細にさらに説明されるように、各キャリアについての優先度を調整することにより、ＴＲＸ、標準および標準内のトラフィックタイプの間のきめ細かい優先順位付けを可能にする。
【００２５】
ネットワークノード３１０−１、．．．、３１０−ｎは、使用される無線アクセス技術および専門用語に応じて、例えば、基地局、ＭＳＲ（Multi-Standard  Radio）、遠隔無線装置（Remote  Radio  Unit）、アクセスポイント、Ｎｏｄｅ  Ｂ、ｅＮｏｄｅ  Ｂ（evolved  Node  B）、および／または基地送受信機局（base  transceiver  station）、アクセスポイント基地局、基地局ルータ等と呼ばれ得る。
【００２６】
また、各ネットワークノード３１０−１、．．．、３１０−ｎは、分散データベース３１９−１、．．．、３１９−ｎおよび分散データベースハンドラ（ＤＤＢＨ）３１７−１、．．．、３１７−ｎを備えるように構成され得る。分散データベース３１９−１、．．．、３１９−ｎは、無線周波電力の利用計画を含むように構成され得る。いくつかの実施形態によると、無線周波電力の利用計画が用いられて、各キャリアコントローラ３１５−１、．．．、３１５−ｍ、３１５−ｎ１、．．．、３１５−ｎｍからの要望される電力割当てが交換され得る。
【００２７】
さらに、通信システム３００は、複数のセクタ３３０を含む。セクタ３３０は、通信システム３００によりサービスを提供される地理的なエリアに対応する。セクタ３３０は、１つ以上の送信アンテナおよび受信アンテナをセクタ３３０のエリアに向けることにより実現される。したがって、各セクタ３３０は、１つ以上の送信アンテナを供給する少なくとも１つの電力増幅器３２０−１、．．．、３２０−ｉを含み得る。電力増幅器グループまたはＭＣＰＡグループは、同一のセクタ３３０内で動作する電力増幅器３２０−１、．．．、３２０−ｉのセットである。いくつかのキャリアコントローラ３１５−１、．．．、３１５−ｍ、３１５−ｎ１、．．．、３１５−ｎｍは、ＬＴＥにおけるＭＩＭＯ（Multiple  Input  Multiple  Output）送信のキャリアグループ等の、セクタ内の複数の電力増幅器３２０−１、．．．、３２０−ｉにより送信されるキャリアのグループを有し得る。いくつかのキャリアコントローラ３１５−１、．．．、３１５−ｍ、３１５−ｎ１、．．．、３１５−ｎｍは、単一のキャリアを有し、同一の電力増幅器グループ内、すなわち同一のセクタ３３０内にある限り、電力増幅器３２０−１、．．．、３２０−ｉの瞬間的な選択に左右されない。
【００２８】
いくつかの実施形態によると、通信システム３００は、例えばＣＰＲＩ（Common  Public  Radio  Interface）の標準に基づいてもよい。ＣＰＲＩの標準は、標準における無線装置コントローラ（ＲＥＣ）から例えば無線装置（ＲＥ）のようなローカル無線装置またはリモート無線装置の間の基地局のインターフェースを定義する。データベースの分散は、例えば、ベンダ固有の使用および／または高速Ｃ＆Ｍチャネル（fast  C&M  channel）のために定義されるサブチャネル上で行われてもよい。
【００２９】
図４は、本方法のいくつかの実施形態に従った通信システム３００における動的な電力割当てを説明するブロック図である。
【００３０】
本方法は、さらなる効率で電力増幅器３２０−１、．．．、３２０−ｉのグループを使用するために、キャリアコントローラ３１５−１、．．．、３１５−ｍ、３１５−ｎ１、．．．、３１５−ｎｍ間で動的に「余分な」無線周波電力を分配することを目指す。図２における説明の中の「余分な」無線周波電力と図４における説明とを比較する場合に見られるように、電力増幅器３２０−１、．．．、３２０−ｉの「余分な」無線周波電力の量は、本方法を適用する場合に減少し得る。
【００３１】
交換は、図４に示されるようにリアルタイムで行われ、例えば分散データベース３１９−１、．．．、３１９−ｎを通して、全てのキャリアコントローラ３１５−１、．．．、３１５−ｍ、３１５−ｎ１、．．．、３１５−ｎｍにより実行され得る。しかしながら、いくつかの実施形態によると、情報交換は、キャリアコントローラ３１５−１、．．．、３１５−ｍ、３１５−ｎ１、．．．、３１５−ｎｍ間の直接的な通信等の他の通信手段により実行されてもよい。
【００３２】
電力割当てのスケジューリングについての最も短い間隔を有するキャリアコントローラ３１５−１、．．．、３１５−ｍ、３１５−ｎ１、．．．、３１５−ｎｍは、交換頻度を決定する。図５に示される例では、それは、新たな無線周波電力の利用計画を０．５ｍｓごとに配信するＧＳＭである。
【００３３】
電力増幅器３２０−１、．．．、３２０−ｉが、ＧＳＭ、ＷＣＤＭＡおよび／若しくはＬＴＥ等の異なる標準のシステムまたはキャリアコントローラにより共有される場合、または、電力増幅器３２０−１、．．．、３２０−ｉが、同一の標準のいくつかのキャリアコントローラ３１５−１、．．．、３１５−ｍ、３１５−ｎ１、．．．、３１５−ｎｍにより共有される場合に、他のキャリアコントローラ３１５−１、．．．、３１５−ｍ、３１５−ｎ１、．．．、３１５−ｎｍに分配されるべき「余分な」電力の量が存在し得る。
【００３４】
これが各システムについてのスケジューリングの時間フレーム内で実行される場合に、図３に関連付けられて既に解説されたような静的に構成されたシステムと比べてスループットが向上し得る。
【００３５】
本方法およびシステムは、低レベルのソフトウェアで若しくはハードウェアでも、またはそれらの組合せで、実装可能であり得る。ハードウェアの実装によるいくつかの利点の候補は、実装が安価になり、ｍｓ以下のレベルで動作可能であるということであり得る。
【００３６】
ＧＳＭのみのシステムについて、本方法は、同一のセクタ３３０の中で動作する１つ以上の電力増幅器３２０−１、．．．、３２０−ｉの利用を増やし得る。
【００３７】
ＧＳＭと例えばＷＣＤＭＡまたはＬＴＥ等の他のシステムとの混合について、本方法は、同一のセクタ３３０の中の電力増幅器３２０−１、．．．、３２０−ｉのＧＳＭの電力割当てを埋め合わせ得る。したがって、他のシステムについてのＭＩＭＯまたは送信ダイバーシチ（Ｔｘダイバーシチ）のゲインが最適化される。
【００３８】
図５は、本方法のいくつかの実施形態に従った例示的な無線周波電力の利用計画５００を説明するブロック図である。
【００３９】
無線周波電力の利用計画５００は、いくつかの情報要素グループを含む。いくつかの限定的なパラメータの例を挙げると、各グループは、例えば、次の時間増分のための各キャリアについての要望される電力、満了時間、優先度、選択される電力増幅器３２０−１、．．．、３２０−ｉおよび／またはセクタ３３０を含んでもよい。いくつかの実施形態によると、選択されるセクタ３３０は、例えば、既に列挙されたパラメータに加えて、または選択される電力増幅器３２０−１、．．．、３２０−ｉの代わりに、情報要素グループの中に含まれてもよい。
【００４０】
計画５００の中のグループ、時間増分の数は、最も長いスケジューリング時間水平線を伴うキャリアコントローラ３１５−１、．．．、３１５−ｍ、３１５−ｎ１、．．．、３１５−ｎｍにより決定される。
【００４１】
いくつかの実施形態によると、更新された無線周波電力の利用計画５００は、分散データベース３１９−１、．．．、３１９−ｎの各ネットワークノード３１０−１、．．．、３１０−ｎにおけるローカルコピーに書き込まれ、ＤＤＢＨ３１７−１、．．．、３１７−ｎは、更新されたキャリアコントローラ３１５−１、．．．、３１５−ｍ、３１５−ｎ１、．．．、３１５−ｎｍにより通知され得る。そして、いくつかの実施形態によると、ＤＤＢＨ３１７−１、．．．、３１７−ｎは、通信システム３００を介して更新を配信し得る。
【００４２】
いずれかのネットワークノード３１０−１、．．．、３１０−ｎが更新を受信すると、ＤＤＢＨ３１７−１、．．．、３１７−ｎは、分散データベース３１９−１、．．．、３１９−ｎにおけるローカルコピーを更新し、受信したネットワークノード３１０−１、．．．、３１０−ｎのキャリアコントローラ３１５−１、．．．、３１５−ｍ、３１５−ｎ１、．．．、３１５−ｎｍに通知し得る。
【００４３】
送信されるべきキャリアについての時間がくると、キャリアコントローラ３１５−１、．．．、３１５−ｍ、３１５−ｎ１、．．．、３１５−ｎｍは、どの電力増幅器３２０−１、．．．、３２０−ｉ上でキャリアが出力されるべきかを調べる。これは、主にＧＳＭについての場合であり得る。この場合に、ＧＳＭの時間スロットが開始するかなり前に、どの電力増幅器３２０−１、．．．、３２０−ｉがキャリアを送信すべきかが決定される。そして、ＧＳＭの時間スロットのデータは、対象とする電力増幅器３２０−１、．．．、３２０−ｉへ送信され得る。これは、少なくとも２つの手法で行われ得る。電力増幅器３２０−１、．．．、３２０−ｉは、電力増幅器３２０−１、．．．、３２０−ｉについての全てのキャリア候補について設定される仮想的なキャリアを有してもよい。ＧＳＭのＩＱストリーム生成部は、その時間スロットについてのＩＱサンプルを、対象とする電力増幅器３２０−１、．．．、３２０−ｉについての仮想的なキャリアのうちの１つにコピーしてもよい。
【００４４】
代替手段は、対象となる電力増幅器３２０−１、．．．、３２０−ｉに出力するように静的に構成されるＩＱストリーム生成部に、非変調のＧＳＭ時間スロットを転送することであってもよい。いわゆるベースバンドホッピングである。
【００４５】
図６は、本方法のいくつかの実施形態に従った、ＧＳＭとＷＣＤＭＡ／ＬＴＥとの間での例示的な無線周波電力の利用を説明するブロック図である。
【００４６】
いくつかの実施形態によると、図６の中の時点ｎで、ＧＳＭは、０．５ｍｓごとに、例えば４．６ｍｓ対応する次の８つの時間スロットについての新たな無線周波電力の利用計画５００を配信し得る。しかしながら、無線周波電力の利用計画５００の中に含まれる情報は、例えば他の各キャリアコントローラ３１５−１、．．．、３１５−ｍ、３１５−ｎ１、．．．、３１５−ｎｍへの専用メッセージを介する等の任意の手法で、他のキャリアコントローラ３１５−１、．．．、３１５−ｍ、３１５−ｎ１、．．．、３１５−ｎｍに配信されてもよい、ということに留意すべきである。しかしながら、いくつかの実施形態によると、無線周波電力の利用計画５００の内容は、分散データベース３１９−１、．．．、３１９−ｎを用いて、他のキャリアコントローラ３１５−１、．．．、３１５−ｍ、３１５−ｎ１、．．．、３１５−ｎｍに配信されてもよい。
【００４７】
図５の中の時点ｍで、ＷＣＤＭＡ／ＬＴＥは、ＧＳＭまたは他のシステムが２ｍｓ前に与えられた電力情報に基づいて、次の２／１ｍｓに割り当てる。
【００４８】
キャリアコントローラ３１５−１、．．．、３１５−ｍ、３１５−ｎ１、．．．、３１５−ｎｍは、例えば図５に示されるように、キャリアコントローラ３１５−１、．．．、３１５−ｍ、３１５−ｎ１、．．．、３１５−ｎｍにより制御される少なくとも１つのキャリアについての次の時間増分のための電力割当てをスケジューリングしようとする場合に、無線周波電力の利用計画５００の更新版を得るように要求し得る。
【００４９】
優先度に基づくアルゴリズムに従って、キャリアコントローラ３１５−１、．．．、３１５−ｍ、３１５−ｎ１、．．．、３１５−ｎｍは、電力および終了時間を算出する。そして、キャリアコントローラ３１５−１、．．．、３１５−ｍ、３１５−ｎ１、．．．、３１５−ｎｍは、無線周波電力の利用計画５００を更新し、ＤＤＢＨ３１７−１、．．．、３１７−ｎに通知し得る。
【００５０】
いくつかの実施形態によると、１つの優先度がキャリアごとに設定され得る。さらに、いくつかの実施形態によると、同一の優先度が、電力の利用計画全体に設定されてもよい。しかしながら、他の実施形態によると、優先度は、ある時間間隔等の時間上で変えられてもよい。限定しない例で、優先度は、例えば各時間スロットで設定されてもよい。
【００５１】
本方法のいくつかの実施形態によると、どの電力増幅器のグループまたはセクタ３３０上であるキャリアが出力されるか、または特定の電力増幅器３２０−１、．．．、３２０−ｉが使用されるかが、既知であり、または構成から抽出され得る。例えば、ＭＩＭＯのキャリアグループの一部である２つのキャリアについて、１つのキャリアが第１の電力増幅器３２０−１上で出力されるように構成され、第２のキャリアが電力増幅器３２０−２上で出力されるように構成されてもよい。
【００５２】
優先度に基づくアルゴリズムは、各キャリアの優先度に従って、電力増幅器のグループまたはセクタ３３０内の全ての電力増幅器３２０−１、．．．、３２０−ｉの利用可能な電力から電力を割当て得る。アルゴリズムは、キャリアグループの中のキャリアについて最大で同様の電力割当てを提供するために、ＧＳＭ  ＴＲＸ等のいくつかのキャリアについての電力増幅器３２０−１、．．．、３２０−ｉを自由に選択し得る。したがって、例えば、全てのＧＳＭトラフィックが、第１の電力増幅器３２０−１に向けられ、ＷＣＤＭＡおよび／またはＬＴＥからの全てのデータトラフィックが同一のセクタ３３０内の第２の電力増幅器３２０−２に向けられてもよい。
【００５３】
本方法は、いくつかの方法ステップ１−６のように概略的に説明され得る。いくつかの実施形態によると、当該方法ステップ１−６は、例えば０．５ｍｓ−４ｍｓの次のスケジューリング可能な時間増分ごとに少なくとも一部で繰り返されて得る。列挙される方法ステップ１−６は、本方法の実施形態を表すための純粋な例示である、ということに気付くべきである。本方法の他の実施形態は、ここで表される方法ステップ１−６の全て若しくはいずれかを含まず、および／またはいずれかの他の任意の順序で実行されてもよい。
【００５４】
ステップ１
第１のキャリアコントローラ３１５−１により制御される少なくとも１つのキャリアによって８つの時間スロット等の所定の時間フレームの間に使用される無線周波電力に関する推定が、実行され得る。
【００５５】
ステップ２
第１のキャリアコントローラ３１５−１により制御される少なくとも１つのキャリアの推定された必要な電力が、他のキャリアコントローラ３１５−１、．．．、３１５−ｍ、３１５−ｎ１、．．．、３１５−ｎｍ、例えば全てのキャリアコントローラ３１５−１、．．．、３１５−ｍ、３１５−ｎ１、．．．、３１５−ｎｍへ配信され得る。上記配信は、例えば分散データベース３１９−１、．．．、３１９−ｎを用いて無線周波電力の利用計画５００を配信することにより行われてもよい。
【００５６】
無線周波電力の利用計画５００は、例えば、自らのキャリアコントローラ３１５−１および他のキャリアコントローラ３１５−１、．．．、３１５−ｍ、３１５−ｎ１、．．．、３１５−ｎｍに関連付けられる、計画される無線周波電力の割当て、満了時間、優先値、並びに、セクタ３３０および／若しくは電力増幅器３２０−１、．．．、３２０−ｉへのリファレンスまたは対応関係（dedication）を含んでもよい。
【００５７】
ステップ３
他のキャリアコントローラ３１５−１、．．．、３１５−ｍ、３１５−ｎ１、．．．、３１５−ｎｍの推定された必要な電力、および、場合によっては、無線周波電力の利用計画５００の中に含まれ得る他のパラメータが、例えば分散データベース３１９−１、．．．、３１９−ｎから得られ得る。
【００５８】
ステップ４
各キャリアコントローラ３１５−１、．．．、３１５−ｍ、３１５−ｎ１、．．．、３１５−ｎｍは、無線周波電力の利用計画５００内に含まれる情報にアクセスできる。その情報に基づいて、同一のセクタ３３０内の電力増幅器３２０−１、．．．、３２０−ｉ上での、キャリアコントローラ３１５−１、．．．、３１５−ｍ、３１５−ｎ１、．．．、３１５−ｎｍにより制御されるキャリアの割当てが、実行され得る。
【００５９】
いくつかの実施形態によると、同一のセクタ３３０内の各電力増幅器３２０−１、．．．、３２０−ｉの最大電力の限界値に対する比較が行われ得る。
【００６０】
いくつかの実施形態によると、電力増幅器３２０−１、．．．、３２０−ｉのいずれについても最大電力の限界値が超えられない場合に、各キャリアコントローラ３１５−１、．．．、３１５−ｍ、３１５−ｎ１、．．．、３１５−ｎｍは、推定された電力および示された電力増幅器３２０−１、．．．、３２０−ｉを割り当てられ得る。しかしながら、いくつかの実施形態によると、いくつかの優先的なキャリア並びに／またはＷＣＤＭＡおよび／若しくはＬＴＥのようなアクセス技術に関連付けられるキャリアは、最大電力の限界値が到達されるまで、割り当てられる電力を増やすことが可能であってもよい。しかしながら、いくつかの実施形態によると、キャリアは、使用されるアクセス技術に応じて、電力増幅器３２０−１、．．．、３２０−ｉを割り当てられてもよい。
【００６１】
しかしながら、最大電力の限界値が超えられる場合に、再割当てが実行され得る。いくつかの実施形態によると、最も低い優先度を有する少なくとも１つのキャリアが、同一のセクタ３３０内の別の電力増幅器３２０−１、．．．、３２０−ｉに再度割り当てられ得る。したがって、最も低い優先度を有するキャリアは、必要な電力の量を割り当てられ得るが、同一のセクタ３３０内の別の電力増幅器３２０−１、．．．、３２０−ｉ上で割り当てられる。いくつかの実施形態によると、最も低い優先度を有するキャリアは、最も低い電力を割り当てられてもよく、またはその時間フレーム内で全く電力を割り当てられなくてもよい。
【００６２】
ステップ５
ステップ４で更新された値は、他のキャリアコントローラ３１５−１、．．．、３１５−ｍ、３１５−ｎ１、．．．、３１５−ｎｍに配信され得る。いくつかの実施形態によると、無線周波電力の利用計画５００が更新され、例えば分散データベースのメカニズムを使用して全てのキャリアコントローラ３１５−１、．．．、３１５−ｍ、３１５−ｎ１、．．．、３１５−ｎｍに配信されてもよい。
【００６３】
さらなる実施形態
しかしながら、いくつかの実施形態によると、最も優先的なものから始める優先度順で、キャリアコントローラ３１５−１、．．．、３１５−ｍ、３１５−ｎ１、．．．、３１５−ｎｍにより制御されるキャリアを割り当てることにより、割当てが実行されてもよい。各キャリアについて、最も多くの利用可能なキャパシティを有する、同一のセクタ３３０内の電力増幅器３２０−１、．．．、３２０−ｉが、選択されてもよい。ＭＩＭＯキャリアが検出される場合に、電力は、同一のセクタ３３０内の少なくとも２つの電力増幅器３２０−１、．．．、３２０−ｉに割り当てられてもよい。この優先度順でのキャリアの割当ては、セクタ３３０内の電力増幅器３２０−１、．．．、３２０−ｉのいずれにもキャリアを割り当てることができなくなるまで継続してもよい。そして、そのキャリアは、最も多くの利用可能なキャパシティを有する電力増幅器３２０−１、．．．、３２０−ｉ上に割り当てられることが可能になるまで、減らされてもよい。
【００６４】
したがって、キャリア「Ｎ」は、減らされた電力を割り当てられるが、いくらかの電力が、キャリア「Ｎ＋１」にさらに割り当てられてもよい。
【００６５】
１つの恣意的な例を挙げると、セクタ３３０は、２つの電力増幅器３２０−１および３２０−２を含み得る。第１の電力増幅器３２０−１は、７Ｗの利用可能な残りの電力を有し、第２の電力増幅器３２０−２は、５Ｗの利用可能な電力を有し得る。優先度「Ｎ」を有するキャリアが、９Ｗを要望する場合に、当該キャリアは、第１の電力増幅器３２０−１で７Ｗを割り当てられ得る。したがって、優先度「Ｎ＋１」を有する順序において次のキャリアは、優先度「Ｎ」を有する第１のキャリアよりも低い優先度を有するにも関わらず、第２の電力増幅器３２０−２に残っている５Ｗ全てを割り当てられてもよい。
【００６６】
いくつかの実施形態によると、キャリアがＭＩＭＯタイプであることが、いずれかの手段でシグナリングされ、または示されてもよい。いくつかの実施形態によると、ＭＩＭＯタイプのキャリアは、例えば無線周波電力の利用計画５００の中またはいずれかの他の手段で、セクタ３３０内の少なくとも２つの電力増幅器３２０−１および３２０−２上で割り当てられる電力を要望することを示してもよい。
【００６７】
図７は、第１のキャリアコントローラ３１５−１において実行される方法ステップ７０１−７０７の実施形態を説明するフローチャートである。当該方法は、セクタ３３０内の複数の電力増幅器３２０−１、．．．、３２０−ｉの分散電力管理を実行することを目指す。第１のキャリアコントローラ３１５−１は、ネットワークノード３１０−１、．．．、３１０−ｎに関連付けられている。第１のキャリアコントローラ３１５−１、ネットワークノード３１０−１、．．．、３１０−ｎ、および電力増幅器３２０−１、．．．、３２０−ｉは、通信システム３００内に含まれる。通信システム３００は、少なくとも１つのさらなるキャリアコントローラキャリアコントローラ３１５−２、．．．、３１５−ｍ、３１５−ｎ１、．．．、３１５−ｎｍもさらに含む。
【００６８】
第１のキャリアコントローラ３１５−１は、当該第１のキャリアコントローラ３１５−１により制御される少なくとも１つのキャリアにより使用されると推定される無線周波電力の、各電力増幅器３２０−１、．．．、３２０−ｉでの電力割当てをスケジューリングするように構成される。
【００６９】
第１のキャリアコントローラ３１５−１により制御される少なくとも１つのキャリア、および／または、さらなるキャリアコントローラ３１５−２、．．．、３１５−ｍ、３１５−ｎ１、．．．、３１５−ｎｍにより制御されるキャリアは、ＧＳＭ、ＷＣＤＭＡ、ＬＴＥのグループのうちのいずれかの無線技術に関連付けられていてもよい。
【００７０】
複数の電力増幅器３２０−１、．．．、３２０−ｉの分散電力管理を適切に実行するために、方法は、いくつかの方法ステップ７０１−７１３を含み得る。
【００７１】
しかしながら、説明される方法のステップのうちのいくつかは、オプションであり、いくつかの実施形態にのみ含まれる、ということに留意すべきである。さらに、方法ステップ７０１−７１３は、任意の時系列の順序で実行されてもよく、ステップ７０１およびステップ７０２等の方法のステップのうちのいくつか、またはステップ７０１−７１３の全ては、同時に、または変えられ、任意に再配置され、分解され、若しくは完全に逆にされた時系列の順序で、実行されてもよい、ということに留意すべきである。方法は、以下のステップを含み得る。
【００７２】
ステップ７０１
このステップは、オプションであり、いくつかの実施形態でのみ実行されてもよい。
【００７３】
第１のキャリアコントローラ３１５−１により制御される少なくとも１つのキャリアによって所定の時間フレームの間に使用される無線周波電力が、推定されてもよい。
【００７４】
いくつかの実施形態によると、所定の時間フレームは、０．５ｍｓと６ｍｓとの間であってもよい。所定の時間フレームは、例えば、４．６ｍｓに対応するＧＳＭにおける８つの時間スロットであってもよい。
【００７５】
ステップ７０２
このステップは、オプションであり、いくつかの実施形態でのみ実行されてもよい。
【００７６】
推定された無線周波電力は、さらなるキャリアコントローラキャリアコントローラ３１５−２、．．．、３１５−ｍ、３１５−ｎ１、．．．、３１５−ｎｍに配信されてもよい。いくつかの実施形態によると、配信は、分散データベース３１７を更新することにより実行されてもよい。
【００７７】
ステップ７０３
このステップは、オプションであり、いくつかの実施形態でのみ実行されてもよい。
【００７８】
さらなるキャリアコントローラ３１５−２、．．．、３１５−ｍ、３１５−ｎ１、．．．、３１５−ｎｍにより制御される少なくとも１つのキャリアによって所定の時間フレームの間に使用される推定された無線周波電力が、取得されてもよい。いくつかの実施形態によると、さらなるキャリアコントローラ３１５−２、．．．、３１５−ｍ、３１５−ｎ１、．．．、３１５−ｎｍにより使用される推定された無線周波電力のパラメータが、分散データベース３１７から取得されてもよい。
【００７９】
ステップ７０４
このステップは、オプションであり、いくつかの実施形態でのみ実行されてもよい。
【００８０】
セクタ３３０への、または第１のキャリアコントローラ３１５−１により使用されるセクタ３３０内の優先的な電力増幅器３２０−１、．．．、３２０−ｎへの対応関係が、さらなるキャリアコントローラ３１５−２、．．．、３１５−ｍ、３１５−ｎ１、．．．、３１５−ｎｍに配信されてもよい。いくつかの実施形態によると、当該配信は、分散データベース３１７を更新することにより実行されてもよい。
【００８１】
ステップ７０５
このステップは、オプションであり、いくつかの実施形態でのみ実行されてもよい。
【００８２】
セクタ３３０への、またはさらなるキャリアコントローラ３１５−２、．．．、３１５−ｍ、３１５−ｎ１、．．．、３１５−ｎｍにより使用される上記セクタ３３０内の優先的な電力増幅器３２０−１、．．．、３２０−ｎへの対応関係が、取得されてもよい。いくつかの実施形態によると、対応関係は分散データベース３１７から取得されてもよい。
【００８３】
ステップ７０６
このステップは、オプションであり、いくつかの実施形態でのみ実行されてもよい。
【００８４】
所定の時間フレーム内の部分的期間ごとに、キャリアコントローラ３１５−１、３１５−２、．．．、３１５−ｍ、３１５−ｎ１、．．．、３１５−ｎｍにより制御される全てのキャリアの推定電力使用量が、合計されてもよい。
【００８５】
ステップ７０７
このステップは、オプションであり、いくつかの実施形態でのみ実行されてもよい。
【００８６】
部分的期間ごとの合計された推定電力使用量は、電力増幅器３２０の最大電力の限界値と比較されてもよい。いくつかの実施形態によると、部分的期間ごとの合計された推定電力使用量と電力増幅器３２０−１、．．．、３２０−ｎの最大電力の限界値との当該比較は、部分的期間ごとの、セクタ３３０または当該セクタ３３０内の優先的な電力増幅器３２０−１、．．．、３２０−ｎへの対応関係を有する全てのキャリアの合計された推定電力使用量と、当該セクタ３３０内の各電力増幅器３２０−１、．．．、３２０−ｎの最大電力の限界値とを比較することを含んでもよい。
【００８７】
ステップ７０８
このステップは、オプションであり、いくつかの実施形態でのみ実行されてもよい。
【００８８】
第１のキャリアコントローラ３１５−１により制御される少なくとも１つのキャリアの優先値が、さらなるキャリアコントローラ３１５−２、．．．、３１５−ｍ、３１５−ｎ１、．．．、３１５−ｎｍに配信されてもよい。いくつかの実施形態によると、上記配信は、分散データベース３１７を更新することにより実行されてもよい。
【００８９】
ステップ７０９
このステップは、オプションであり、いくつかの実施形態でのみ実行されてもよい。
【００９０】
各さらなるキャリアコントローラ３１５−２、．．．、３１５−ｍ、３１５−ｎ１、．．．、３１５−ｎｍ内に含まれる少なくとも１つのキャリアの優先値が、取得されてもよい。いくつかの実施形態によると、上記優先値は、分散データベース３１７から取得されてもよい。
【００９１】
ステップ７１０
このステップは、オプションであり、いくつかの実施形態でのみ実行されてもよい。
【００９２】
最も低い優先度を伴うキャリアの優先的な電力増幅器３２０−１、．．．、３２０−ｎへの対応関係が、同一のセクタ３３０内の別の電力増幅器３２０−１、．．．、３２０−ｎへの対応関係に変更されてもよい。
【００９３】
いくつかのさらなるオプションの実施形態によると、対応関係を変更するステップは、セクタ３３０内のある電力増幅器３２０−１、．．．、３２０−ｎの最大電力の限界値が、ある部分的期間についての合計された推定電力使用量により超えられる場合に、実行されてもよい。
【００９４】
いくつかの実施形態によると、キャリアは、複数の電力増幅器３２０−１、．．．、３２０−ｎを含むセクタ３３０への対応関係を有する。対応関係は、同一のセクタ３３０内のいずれかの電力増幅器３２０−１、．．．、３２０−ｎ、例えばその時点での最大の利用可能なキャパシティを有する、セクタ３３０内の電力増幅器３２０−１、．．．、３２０−ｎに設定されてもよい。
【００９５】
ステップ７１１
このステップは、オプションであり、いくつかの実施形態でのみ実行されてもよい。
【００９６】
最も低い優先値を伴う、第１のキャリアコントローラ３１５−１内に含まれる少なくとも１つのキャリアまたはさらなるキャリアコントローラ３１５−２、．．．、３１５−ｍ、３１５−ｎ１、．．．、３１５−ｎｍにより制御される少なくとも１つのキャリアについての、推定電力使用量が減らされててもよい。
【００９７】
いくつかの実施形態によると、いずれかのキャリアについての推定電力使用量が、いずれの電力増幅器３２０−１、．．．、３２０−ｎの最大電力の限界値を超えることなく、セクタ３３０内の電力増幅器３２０−１、．．．、３２０−ｎのいずれかに割当てられることが不可能である場合に、最も低い優先度を伴うキャリアについての推定電力使用量は、その時点での最大の利用可能なキャパシティを有する電力増幅器３２０−１、．．．、３２０−ｎの最大電力の限界値が実行され得るまで、減らされてもよい。
【００９８】
ステップ７１２
このステップは、オプションであり、いくつかの実施形態でのみ実行されてもよい。
【００９９】
いくつかの実施形態によると、推定電力使用量を合計するステップ７０６、合計された推定電力使用量と最大電力の限界値とを比較するステップ７０７、および最も低い優先値を伴うキャリアについての推定電力使用量を減らすステップ７１１は、残りの合計された推定電力使用量がセクタ３３０内の各個別の電力増幅器３２０−１、．．．、３２０−ｎの最大電力の限界値以下となるまで、繰り返されてもよい。
【０１００】
ステップ７１３
セクタ３３０または当該セクタ３３０内の電力増幅器３２０−１、．．．、３２０−ｉに対応する（dedicated）、各キャリアコントローラ３１５−１、．．．、３１５−ｍ、３１５−ｎ１、．．．、３１５−ｎｍの優先値に基づいて、同一のセクタ３３０内の１つ以上の電力増幅器３２０−１、．．．、３２０−ｉにおいて、第１のキャリアコントローラ３１５−１により制御される少なくとも１つのキャリアによって所定の時間フレームの間に使用される推定電力使用量を割り当てる。
【０１０１】
さらに、いくつかの実施形態によると、推定電力使用量は、さらなるキャリアコントローラ３１５−２、．．．、３１５−ｍ、３１５−ｎ１、．．．、３１５−ｎｍに配信されてもよい。いくつかの実施形態によると、上記配信は、分散データベース３１７を更新することにより実行されてもよい。
【０１０２】
いくつかの実施形態によると、上記割当ては、その時点で最大の利用可能なキャパシティを有するセクタ３３０内の電力増幅器３２０−１、．．．、３２０−ｉに、最も高い優先度を伴うキャリアを割り当てることを含んでもよい。キャリアがＭＩＭＯに関連付けられる場合に、電力は、セクタ３３０内の複数の電力増幅器３２０−１、．．．、３２０−ｉに割当てられてもよい。キャリアの割当ては、優先度順で、特定のキャリアの推定電力全てを割り当てることが不可能になるまで、継続されてもよい。そして、特定のキャリアコントローラ３１５−１、．．．、３１５−ｍ、３１５−ｎ１、．．．、３１５−ｎｍについての割り当てられた電力は、電力増幅器３２０−１、．．．、３２０−ｉの最大電力の限界値が超えられなくなるまで減らされてもよい。
【０１０３】
図８は、ネットワークノード３１０−１、．．．、３１０−ｎに関連付けられる第１のキャリアコントローラ３１５−１の中に位置する構成８００の実施形態を説明するブロック図である。構成８００は、セクタ３３０内の複数の電力増幅器３２０−１、．．．、３２０−ｉの分散電力管理のための方法ステップ７０１−７１３を実行するように構成される。第１のキャリアコントローラ３１５−１、ネットワークノード３１０−１、．．．、３１０−ｎ、電力増幅器３２０−１、．．．、３２０−ｉおよびセクタ３３０は、少なくとも１つのさらなるキャリアコントローラ３１５−２、．．．、３１５−ｍ、３１５−ｎ１、．．．、３１５−ｎｍと共に、通信システム３００内に含まれる。第１のキャリアコントローラ３１５−１は、当該第１のキャリアコントローラ３１５−１により制御される少なくとも１つのキャリアにより使用されると推定される無線周波電力の、各電力増幅器３２０−１、．．．、３２０−ｉでの電力割当てをスケジューリングするように構成される。
【０１０４】
明確にするために、本方法を実行するために完全に必要というわけではない、構成８００のいずれかの内部の電子機器は、図８から省略されている。
【０１０５】
構成８００は、割当て部８１３を備える。割当て部８１３は、同一のセクタ３３０内の１つ以上の電力増幅器３２０−１、．．．、３２０−ｉにおいて、第１のキャリアコントローラ３１５−１により制御される少なくとも１つのキャリアによって所定の時間フレームの間に使用される推定電力使用量を割り当てるように適合される。上記割当ては、セクタ３３０または当該セクタ３３０内の電力増幅器３２０−１、．．．、３２０−ｉに対応する（dedicated）、各キャリアコントローラ３１５−１、３１５−２、．．．、３１５−ｍ、３１５−ｎ１、．．．、３１５−ｎｍの優先値に基づく。
【０１０６】
さらに、いくつかの実施形態によると、構成８００は推定部８０１を備えてもよい。推定部８０１は、第１のキャリアコントローラ３１５−１により制御される少なくとも１つのキャリアによって所定の時間フレームの間に使用される無線周波電力を推定するように適合されてもよい。
【０１０７】
さらに、いくつかの実施形態によると、構成８００は、配信部８０２を備えてもよい。配信部８０２は、推定された無線周波電力をさらなるキャリアコントローラ３１５−２、．．．、３１５−ｍ、３１５−ｎ１、．．．、３１５−ｎｍに配信するように適合されてもよい。
【０１０８】
また、構成８００は、取得部８０３をさらに備えてもよい。取得部８０３は、さらなるキャリアコントローラ３１５−２、．．．、３１５−ｍ、３１５−ｎ１、．．．、３１５−ｎｍにより制御される少なくとも１つのキャリアによって所定の時間フレームの間に使用される推定された無線周波電力を取得するように適合されてもよい。
【０１０９】
さらに、構成８００は、追加で第２の配信部８０４を備えてもよい。いくつかの実施形態によると、第２の配信部８０４は、セクタ３３０への、または第１のキャリアコントローラ３１５−１により制御される少なくとも１つのキャリアにより使用される当該セクタ３３０内の優先的な電力増幅器３２０−１、．．．、３２０−ｎへの対応関係を、さらなるキャリアコントローラ３１５−２、．．．、３１５−ｍ、３１５−ｎ１、．．．、３１５−ｎｍに配信するように構成されてもよい。
【０１１０】
また、追加で、構成８００は、第２の取得部８０５を備えてもよい。第２の取得部８０５は、セクタ３３０への、またはさらなるキャリアコントローラ３１５−２、．．．、３１５−ｍ、３１５−ｎ１、．．．、３１５−ｎｍにより制御される少なくとも１つのキャリアにより使用されるセクタ３３０内の優先的な電力増幅器３２０−１、．．．、３２０−ｎへの対応関係を、取得するように構成されてもよい。
【０１１１】
さらに、いくつかの実施形態によると、構成８００は、算出部８０６もさらに備えてもよい。算出部８０６は、所定の時間フレーム内の部分的期間ごとに、全てのキャリアコントローラ３１５−１、３１５−２、．．．、３１５−ｍ、３１５−ｎ１、．．．、３１５−ｎｍにより制御される全てのキャリアの推定電力使用量を合計するように適合されてもよい。
【０１１２】
構成８００は、追加で比較部８０７もさらに備えてもよい。いくつかの実施形態によると、比較部８０７は、オプションで、部分的期間ごとの合計された推定電力使用量と電力増幅器３２０−１、．．．、３２０−ｉの最大電力の限界値とを比較するように適合されてもよい。
【０１１３】
さらに、構成８００は、追加で配信部８０８も備えてもよい。配信部８０８は、第１のキャリアコントローラ３１５−１により制御される少なくとも１つのキャリアの優先値をさらなるキャリアコントローラ３１５−２、．．．、３１５−ｍ、３１５−ｎ１、．．．、３１５−ｎｍに配信するように適合されてもよい。
【０１１４】
さらなるオプションの追加で、構成８００は取得部８０９も備えてもよい。取得部８０９は、各さらなるキャリアコントローラ３１５−２、．．．、３１５−ｍ、３１５−ｎ１、．．．、３１５−ｎｍにより制御される少なくとも１つのキャリアの各々の優先値を取得するように適合されてもよい。
【０１１５】
さらに、構成８００は変更部８１０も備えてもよい。変更部８１０は、最も低い優先度を伴うキャリアの優先的な電力増幅器３２０−１、．．．、３２０−ｎへの対応関係を、同一のセクタ３３０内の別の電力増幅器３２０−１、．．．、３２０−ｎへの対応関係に変更するように適合されてもよい。
【０１１６】
また、構成８００は減少部８００をさらに備えてもよい。減少部８１１は、最も低い優先値を伴う、第１のキャリアコントローラ３１５−１により制御される少なくとも１つのキャリアまたはさらなるキャリアコントローラ３１５−２、．．．、３１５−ｍ、３１５−ｎ１、．．．、３１５−ｎｍにより制御される少なくとも１つのキャリアについての、推定電力使用量を減らすように適合されてもよい。
【０１１７】
さらなる追加のオプションの実施形態で、構成８００は反復部８１２も備えてもよい。反復部８１２は、残りの合計された推定電力使用量が最大電力の限界値以下となるまで、推定電力使用量を合計するステップ７０６、合計された推定電力使用量と最大電力の限界値とを比較するステップ７０７、および最も低い優先値を伴うキャリアについての推定電力使用量を減らすステップ７１１を、繰り返すように適合されてもよい。
【０１１８】
また、構成８００は、オプションで、受信部８２０および／または送信部８３０を備えてもよい。
【０１１９】
構成８００内に備えられる説明された８０１−８４０の部は、別々の論理的なエンティティとみなされてもよいが、必ずしも別々の物理的なエンティティとみなされなくてもよい、ということに留意すべきである。８０１−８４０の部のいずれか、いくつかまたは全ては、同一の物理的な装置内に含まれ、または共に配置されてもよい。しかしながら、構成８００の機能性の理解を容易にするために、備えられる８０１−８４０の部は、図８では別々の物理的な部として説明される。
【０１２０】
したがって、いくつかの実施形態によると、送信部８３０および例えば受信部８２０は、１つの物理的な装置である送受信機内に含まれてもよい。当該送受信機は、オプションのアンテナを介して、それぞれ、発信無線周波数信号を送信し、着信無線周波数信号を受信する、送信回路および受信回路を含み得る。アンテナは、組み込みアンテナ、格納式アンテナ、または本構成の範囲から逸脱しない他の任意のアンテナであってもよい。
【０１２１】
いくつかの実施形態によると、構成８００は処理部８４０を備えてもよい。処理部８４０は、例えば、中央処理装置（ＣＰＵ）、プロセッサ、マイクロプロセッサ、または命令を解釈して実行し得る他の処理ロジックにより表されてもよい。処理部８４０は、入力、出力、並びに、呼処理制御、ユーザインターフェース制御等の装置制御機能およびデータのバッファリングを含むデータ処理のための、全てのデータ処理機能を実行してもよい。
【０１２２】
コンピュータプログラムプロダクト
方法ステップ７０１−７１３のうちのいずれか、いくつか、または全ては、本方法ステップ７０１−７１３の機能を実行するためのコンピュータプログラムコードと共に１つ以上の処理部８４０を通じて実装され得る。したがって、方法ステップ７０１−７１３を実行するための命令を含むコンピュータプログラムプロダクトは、セクタ３３０内の複数の電力増幅器３２０−１、．．．、３２０−ｉの分散電力管理を実行し得る。
【０１２３】
さらに、コンピュータプログラムプロダクトが処理部８４０上で実行される場合に、方法のステップ７０１−７１３のうちの少なくともいくつかを実行するための命令を含むコンピュータプログラムプロダクトが、第１のキャリアコントローラ３１５−１の中で上記方法を実装するために使用されてもよい。
【０１２４】
上記コンピュータプログラムプロダクトは、例えば、処理部８４０に読み込まれると本ソリューションに従った方法のステップを実行するコンピュータプログラムコードを搬送するデータキャリアの形式で提供されてもよい。データキャリアは、ハードディスク、ＣＤ−ＲＯＭ、メモリスティック、光記憶装置、磁気記憶装置、または、機械により読み取り可能なデータを保持可能なディスク若しくはテープ等のいずれかの他の適切な媒体であってもよい。コンピュータプログラムコードは、さらに、サーバ上でプログラムとして提供され、例えばインターネットまたはイントラネットの接続上でリモートでダウンロードされることも可能である。
【０１２５】
添付の図面の中で説明された具体的な例示の実施形態の詳細な説明で使用された用語は、本発明を限定することを意図されていない。
【０１２６】
ここで使用されるように、単数形の「a」、「an」および「the」は、明示的にそうではないと記載されなければ、複数形も含むことを意図されている。用語「含む（include,including）」および／または「備える、含む（comprise,comprising）」は、この明細書中で使用される場合に、記載された特徴、整数、ステップ、動作、要素および／またはコンポーネントの存在を特定するが、１つ以上の他の特徴、整数、ステップ、動作、要素、コンポーネント、および／またはそれらのグループの存在または追加を除外しない、ということがさらに理解されるであろう。要素が他の要素と「接続される(connected)」または「結合される(coupled)」と呼ばれる場合に、当該要素は直接的に他の要素に接続されまたは結合されることが可能であり、または介在する要素が存在してもよい、ということが理解されるであろう。さらに、ここで使用されるような「接続される(connected)」または「結合される(coupled)」は、無線で接続されまたは結合されることを含み得る。ここで使用されるように、用語「および／または（and/or）」は、関連付けられるリスト化された項目のうちの１つ以上のいずれかの組合せおよび全ての組合せを含む。
【図１】
0005341212.tif 000002
【図２】
0005341212.tif 000003
【図３】
0005341212.tif 000004
【図４】
0005341212.tif 000005
【図５】
0005341212.tif 000006
【図６】
0005341212.tif 000007
【図７】
0005341212.tif 000008
【図８】
0005341212.tif 000009